(57)【要約】【課題】狭い場所への運搬や設置作業が容易でありながら、短時間且つ低コストで設置ができ、タンクの内容量及び高さを容易に調節可能な円筒型貯水タンクを提供することである。【解決手段】複数の側板エレメント７と、天板エレメント８と、底板エレメント９とを備え、フランジ２を介して、側板エレメント７を上下左右方向に複数連結して円筒体を形成するとともに、天板エレメント８及び底板エレメント９によって密閉し、天板エレメント８及び底板エレメント９を側板エレメント７に構設する際には、天板エレメント８の突部及び側板エレメント７の溝部、底板エレメント９の溝部及び側板エレメント７の突部をそれぞれ嵌合させ、複数の側板エレメント７を上下方向に構設する際には、側板エレメント７の溝部と他の側板エレメント７の突部とを嵌合させる。【選択図】図１
0003175652.tif 000002
【実用新案登録請求の範囲】
【請求項１】
正面視矩形状で平面視円弧状の複数の側板エレメントと、
平面視円形状の天板エレメントと、
平面視円形状の底板エレメントとを備え、
前記側板エレメントは、上縁内側に溝部と下縁内側に突部とがそれぞれ縁端に沿って設けられ、外側には他の側板エレメントと連結するためのフランジが上下左右の縁部に設けられており、
前記天板エレメントは、前記側板エレメントの上縁内側に設けられた溝部と嵌合する突部が周縁内側に設けられており、
前記底板エレメントは、前記側板エレメントの下縁内側に設けられた突部と嵌合する溝部が周縁内側に設けられており、
前記フランジを介して、前記側板エレメントを上下左右方向に複数連結して円筒体を形成するとともに、前記天板エレメント及び前記底板エレメントによって密閉し、
前記天板エレメント及び前記底板エレメントを前記側板エレメントに構設する際には、前記天板エレメントの突部及び前記側板エレメントの溝部、前記底板エレメントの溝部及び前記側板エレメントの突部をそれぞれ嵌合させ、
複数の前記側板エレメントを上下方向に構設する際には、該側板エレメントの溝部と他の該側板エレメントの突部とを嵌合させることを特徴とする円筒型貯水タンク。
【請求項２】
前記側板エレメントのフランジは、連結孔を有し、該連結孔を介して、ボルト締めすることを特徴とする請求項１に記載の円筒型貯水タンク。
【請求項３】
前記天板エレメントは、雨水の導入口となるパイプの挿入口と、ゴミ採り用フィルターとを有する濾過装置を備えることを特徴とする請求項１又は請求項２に記載の円筒型貯水タンク。
【請求項４】
前記側板エレメントのうち一枚は、貯留した雨水の排水口となるパイプの挿入口を備えることを特徴とする請求項１乃至請求項３のうち何れか１つに記載の円筒型貯水タンク。
【請求項５】
正面視矩形状で平面視円弧状の複数の側板エレメントと、平面視円形状の天板エレメントと、平面視円形状の底板エレメントとを備えた円筒型貯水タンクの側板エレメントにおいて、
前記側板エレメントは、上縁内側に溝部と下縁内側に突部とがそれぞれ縁端に沿って設けられ、外側には他の側板エレメントと連結するためのフランジが上下左右の縁部に設けられており、
前記天板エレメントは、前記側板エレメントの上縁内側に設けられた溝部と嵌合する突部が周縁内側に設けられており、
前記底板エレメントは、前記側板エレメントの下縁内側に設けられた突部と嵌合する溝部が周縁内側に設けられており、
前記フランジを介して、前記側板エレメントを上下左右方向に複数連結して円筒体を形成するとともに、前記天板エレメント及び前記底板エレメントによって密閉し、
前記天板エレメント及び前記底板エレメントを前記側板エレメントに構設する際には、前記天板エレメントの突部及び前記側板エレメントの溝部、前記底板エレメントの溝部及び前記側板エレメントの突部をそれぞれ嵌合させ、
複数の前記側板エレメントを上下方向に構設する際には、前記側板エレメントの溝部と他の前記側板エレメントの突部とを嵌合させることを特徴とする円筒型貯水タンクの側板エレメント。
【請求項６】
正面視矩形状で平面視円弧状の複数の側板エレメントと、平面視円形状の天板エレメントと、平面視円形状の底板エレメントとを備えた円筒型貯水タンクの天板エレメントにおいて、
前記側板エレメントは、上縁内側に溝部と下縁内側に突部とがそれぞれ縁端に沿って設けられ、外側には他の側板エレメントと連結するためのフランジが上下左右の縁部に設けられており、
前記天板エレメントは、前記側板エレメントの上縁内側に設けられた溝部と嵌合する突部が周縁内側に設けられており、
前記底板エレメントは、前記側板エレメントの下縁内側に設けられた突部と嵌合する溝部が周縁内側に設けられており、
前記フランジを介して、前記側板エレメントを上下左右方向に複数連結して円筒体を形成するとともに、前記天板エレメント及び前記底板エレメントによって密閉し、
前記天板エレメント及び前記底板エレメントを前記側板エレメントに構設する際には、前記天板エレメントの突部及び前記側板エレメントの溝部、前記底板エレメントの溝部及び前記側板エレメントの突部をそれぞれ嵌合させ、
複数の前記側板エレメントを上下方向に構設する際には、前記側板エレメントの溝部と他の前記側板エレメントの突部とを嵌合させることを特徴とする円筒型貯水タンクの天板エレメント。
【請求項７】
正面視矩形状で平面視円弧状の複数の側板エレメントと、平面視円形状の天板エレメントと、平面視円形状の底板エレメントとを備えた円筒型貯水タンクの底板エレメントにおいて、
前記側板エレメントは、上縁内側に溝部と下縁内側に突部とがそれぞれ縁端に沿って設けられ、外側には他の側板エレメントと連結するためのフランジが上下左右の縁部に設けられており、
前記天板エレメントは、前記側板エレメントの上縁内側に設けられた溝部と嵌合する突部が周縁内側に設けられており、
前記底板エレメントは、前記側板エレメントの下縁内側に設けられた突部と嵌合する溝部が周縁内側に設けられており、
前記フランジを介して、前記側板エレメントを上下左右方向に複数連結して円筒体を形成するとともに、前記天板エレメント及び前記底板エレメントによって密閉し、
前記天板エレメント及び前記底板エレメントを前記側板エレメントに構設する際には、前記天板エレメントの突部及び前記側板エレメントの溝部、前記底板エレメントの溝部及び前記側板エレメントの突部をそれぞれ嵌合させ、
複数の前記側板エレメントを上下方向に構設する際には、前記側板エレメントの溝部と他の前記側板エレメントの突部とを嵌合させることを特徴とする円筒型貯水タンクの底板エレメント。
【考案の詳細な説明】
【技術分野】
【０００１】
本考案は、天板、側板、底板から設置場所において構設され、主に雨水貯留用の円筒型貯水タンクに関する。
【背景技術】
【０００２】
組み立て式の円筒型貯水タンクに関して、従来、図７に示す技術が知られている（例えば、特許文献１を参照。）。この従来の円筒型貯水タンク１０１は、複数の連結孔１０２を備えた連結フランジ１０３を両端に有し、複数枚組み合わせることによって円筒体を形成する円弧状の金属外壁エレメント１０４からなり、金属外壁エレメント１０４をその両端にある連結フランジ１０３に備えられた連結孔１０２を介して複数枚連結して円筒体を形成することで組み立てられることを特徴としている。
【０００３】
従来の円筒型貯水タンク１０１を所定の場所に設置する際には、基礎コンクリート１０５を敷設し、この基礎コンクリート１０５上に墨出をした後、アンカー１０６を打設し、金属外壁エレメント１０４をこの墨出し位置に合わせて略円筒体状に複数枚順次配設する。そして、略円筒体状に配設した金属外壁エレメント１０４に充填コンクリート１０７を流し込み、基礎コンクリート１０５と金属外壁エレメント１０４とを一体化させ固定する。
【０００４】
この円筒型貯水タンク１０１によれば、筐体を分割されたパーツから構設できるように構成したので、設置場所において組み立てることができる。
【先行技術文献】
【特許文献】
【０００５】
【特許文献１】特開２００９−１２８４９号公報
【考案の概要】
【考案が解決しようとする課題】
【０００６】
しかしながら、従来の円筒型貯水タンク１０１は、所定の場所に予め敷設した基礎コンクリート１０５上に金属外壁エレメント１０４を略円筒体状に複数枚順次配設し、さらに充填コンクリート１０７を流し込むことによって、基礎コンクリート１０５と金属外壁エレメント１０４を固定するため、基礎コンクリート１０５及び充填コンクリート１０７が完全に乾くまで他の工程に移行することができず、設置完了までの時間とコストに無駄が生じていた。
【０００７】
また、従来の円筒型貯水タンク１０１では、金属外壁エレメント１０４が規定の大きさに限定されており、貯留される雨水の内容量及び設置できる場所が限られていた。
【０００８】
そこで、本考案が解決しようとする課題は、狭い場所への運搬や設置作業が容易でありながら、短時間且つ低コストで設置ができ、タンクの内容量及び高さを容易に調節可能な円筒型貯水タンクを提供することである。
【課題を解決するための手段】
【０００９】
この考案は、前記課題を解決するためになされたもので、請求項１に記載の円筒型貯水タンクは、正面視矩形状で平面視円弧状の複数の側板エレメントと、平面視円形状の天板エレメントと、平面視円形状の底板エレメントとを備え、前記側板エレメントは、上縁内側に溝部と下縁内側に突部とがそれぞれ縁端に沿って設けられ、外側には他の側板エレメントと連結するためのフランジが上下左右の縁部に設けられており、前記天板エレメントは、前記側板エレメントの上縁内側に設けられた溝部と嵌合する突部が周縁内側に設けられており、前記底板エレメントは、前記側板エレメントの下縁内側に設けられた突部と嵌合する溝部が周縁内側に設けられており、前記フランジを介して、前記側板エレメントを上下左右方向に複数連結して円筒体を形成するとともに、前記天板エレメント及び前記底板エレメントによって密閉し、前記天板エレメント及び前記底板エレメントを前記側板エレメントに構設する際には、前記天板エレメントの突部及び前記側板エレメントの溝部、前記底板エレメントの溝部及び前記側板エレメントの突部をそれぞれ嵌合させ、複数の前記側板エレメントを上下方向に構設する際には、前記側板エレメントの溝部と他の前記側板エレメントの突部とを嵌合させることを特徴としている。
【００１０】
請求項１に記載の円筒型貯水タンクによれば、円筒型貯水タンクの筐体を構成する複数の側板エレメントと、天板エレメントと、底板エレメントとを部品として設けたので、設置場所において各パーツを上下左右方向に連結及び嵌合して構設することによって、運搬及び設置工程を簡素化することができる。
【００１１】
また、請求項１に記載の円筒型貯水タンクによれば、側板エレメントを上下左右方向に複数連結及び嵌合して形成された円筒体を、天板エレメント及び底板エレメントによって密閉し、地下に一部を埋設することにより固定するため、予め敷設した基礎コンクリート上に外壁エレメントを配設し充填コンクリートによって密閉及び固定をする工程が不要となるので、設置作業の効率化・低コスト化を実現できる。
【００１２】
さらに、請求項１に記載の円筒型貯水タンクによれば、構設する側板エレメントの枚数を増減することで貯留できる雨水の内容量と貯水タンクの高さとを容易に調節することができる。
【００１３】
請求項２に記載の円筒型貯水タンクは、請求項１において、前記側板エレメントのフランジは、連結孔を有し、該連結孔を介して、ボルト締めすることを特徴としている。
【００１４】
請求項２に記載の円筒型貯水タンクによれば、請求項１の効果に加えて、各パーツの連結を溝部と突部の嵌合だけによらず、連結フランジに設けた複数の連結孔をボルト締めすることで各パーツ間の連結力を増強している。
【００１５】
請求項３に記載の円筒型貯水タンクは、請求項１又は請求項２において、前記天板エレメントは、雨水の導入口となるパイプの挿入口と、ゴミ採り用フィルターとを有する濾過装置を備えることを特徴としている。
【００１６】
請求項３に記載の円筒型貯水タンクによれば、請求項１又は請求項２の効果に加えて、天板エレメントは、ゴミ取り用フィルターを備えた濾過装置を具備しており、雨水に混じって流れてきたゴミの貯水タンク内部への流入を防ぐことができる。
【００１７】
また、請求項３に記載の円筒型貯水タンクによれば、請求項１又は請求項２の効果に加えて、パイプの挿入口には上蓋が被せられており、該上蓋を取り外すことで、フィルターに貯まったゴミを取り除くとともに、パイプ挿入口を掃除することができ、貯水タンク内部と、貯水された雨水とを衛生的に保つことができる。
【００１８】
請求項４に記載の円筒型貯水タンクは、請求項１乃至請求項３のうち何れか１つにおいて、前記側板エレメントのうち一枚は、貯留した雨水の排水口となるパイプの挿入口を備えることを特徴としている。
【００１９】
請求項４に記載の円筒型貯水タンクによれば、請求項１乃至請求項３のうち何れか１つの効果に加えて、複数の側板エレメントのうち一枚は、貯留した雨水の排水口となるパイプの挿入口を備えており、パイプ及び汲み上げポンプを介して、貯留された雨水を貯水タンクの筐体外へ排水することができる。
【００２０】
請求項５に記載の考案は、正面視矩形状で平面視円弧状の複数の側板エレメントと、平面視円形状の天板エレメントと、平面視円形状の底板エレメントとを備えた円筒型貯水タンクの側板エレメントであって、前記側板エレメントは、上縁内側に溝部と下縁内側に突部とがそれぞれ縁端に沿って設けられ、外側には他の側板エレメントと連結するためのフランジが上下左右の縁部に設けられており、前記天板エレメントは、前記側板エレメントの上縁内側に設けられた溝部と嵌合する突部が周縁内側に設けられており、前記底板エレメントは、前記側板エレメントの下縁内側に設けられた突部と嵌合する溝部が周縁内側に設けられており、前記フランジを介して、前記側板エレメントを上下左右方向に複数連結して円筒体を形成するとともに、前記天板エレメント及び前記底板エレメントによって密閉し、前記天板エレメント及び前記底板エレメントを前記側板エレメントに構設する際には、前記天板エレメントの突部及び前記側板エレメントの溝部、前記底板エレメントの溝部及び前記側板エレメントの突部をそれぞれ嵌合させ、複数の前記側板エレメントを上下方向に構設する際には、前記側板エレメントの溝部と他の前記側板エレメントの突部とを嵌合させることを特徴としている。
【００２１】
請求項５に記載の円筒型貯水タンクの側板エレメントによれば、上縁内側に溝部と下縁内側に突部とがそれぞれ縁端に沿って設けられ、外側には他の側板エレメントと連結するためのフランジが上下左右の縁部に設けられており、フランジを介して、側板エレメントを上下左右方向に複数連結及び嵌合し、天板エレメント及び底板エレメントによって密閉することで円筒体を形成することができる。
【００２２】
請求項６に記載の円筒型貯水タンクの考案は、正面視矩形状で平面視円弧状の複数の側板エレメントと、平面視円形状の天板エレメントと、平面視円形状の底板エレメントとを備えた円筒型貯水タンクの天板エレメントであって、前記側板エレメントは、上縁内側に溝部と下縁内側に突部とがそれぞれ縁端に沿って設けられ、外側には他の側板エレメントと連結するためのフランジが上下左右の縁部に設けられており、前記天板エレメントは、前記側板エレメントの上縁内側に設けられた溝部と嵌合する突部が周縁内側に設けられており、前記底板エレメントは、前記側板エレメントの下縁内側に設けられた突部と嵌合する溝部が周縁内側に設けられており、前記フランジを介して、前記側板エレメントを上下左右方向に複数連結して円筒体を形成するとともに、前記天板エレメント及び前記底板エレメントによって密閉し、前記天板エレメント及び前記底板エレメントを前記側板エレメントに構設する際には、前記天板エレメントの突部及び前記側板エレメントの溝部、前記底板エレメントの溝部及び前記側板エレメントの突部をそれぞれ嵌合させ、複数の前記側板エレメントを上下方向に構設する際には、前記側板エレメントの溝部と他の前記側板エレメントの突部とを嵌合させることを特徴としている。
【００２３】
請求項６に記載の円筒型貯水タンクの天板エレメントによれば、側板エレメントの上縁内側に設けられた溝部と嵌合できるよう周縁内側に突部が設けられており、天板エレメントの突部及び側板エレメントの溝部を嵌合することで円筒型貯水タンクの蓋体を構成することができる。
【００２４】
請求項７に記載の考案は、正面視矩形状で平面視円弧状の複数の側板エレメントと、平面視円形状の天板エレメントと、平面視円形状の底板エレメントとを備えた円筒型貯水タンクの底板エレメントであって、前記側板エレメントは、上縁内側に溝部と下縁内側に突部とがそれぞれ縁端に沿って設けられ、外側には他の側板エレメントと連結するためのフランジが上下左右の縁部に設けられており、前記天板エレメントは、前記側板エレメントの上縁内側に設けられた溝部と嵌合する突部が周縁内側に設けられており、前記底板エレメントは、前記側板エレメントの下縁内側に設けられた突部と嵌合する溝部が周縁内側に設けられており、前記フランジを介して、前記側板エレメントを上下左右方向に複数連結して円筒体を形成するとともに、前記天板エレメント及び前記底板エレメントによって密閉し、前記天板エレメント及び前記底板エレメントを前記側板エレメントに構設する際には、前記天板エレメントの突部及び前記側板エレメントの溝部、前記底板エレメントの溝部及び前記側板エレメントの突部をそれぞれ嵌合させ、複数の前記側板エレメントを上下方向に構設する際には、前記側板エレメントの溝部と他の前記側板エレメントの突部とを嵌合させることを特徴としている。
【００２５】
請求項７に記載の円筒型貯水タンクの底板エレメントによれば、側板エレメントの下縁内側に設けられた突部と嵌合できるよう周縁内側に溝部が設けられており、底板エレメントの溝部及び前記側板エレメントの突部を嵌合させることで円筒型貯水タンクの底面を構成することができる。
【考案の効果】
【００２６】
本考案によれば、狭い場所への運搬や設置作業が容易でありながら、短時間且つ低コストで設置ができ、タンクの内容量及び高さを容易に調節可能な円筒型貯水タンクを提供することできる。
【図面の簡単な説明】
【００２７】
【図１】円筒型貯留タンクの全体を示す斜視図である。
【図２】側板エレメントを上下方向に嵌合させる際の説明に供する図である。
【図３】側板エレメントを上下方向に嵌合させた図である。
【図４】側板エレメントを左右方向に連結させた図である。
【図５】本発明にかかる円筒型貯留タンクの実施形態を示す図である。
【図６】円筒型貯留タンクを横向きに設置した図である。
【図７】従来の円筒型貯水タンクの説明に供する図である。
【考案を実施するための形態】
【００２８】
以下、本考案を適用した具体的な実施の形態について、図面を参照しながら詳細に説明する。本考案は、例えば、図１に示すような構成の円筒型貯水タンク１に適用される。円筒型貯水タンク１は、側板エレメント７を上下左右方向に複数枚連結及び嵌合してなる円筒体を、天板エレメント８及び底板エレメント９によって嵌合して密閉することで組み立てられている。
【００２９】
先ず、図１を参照して、円筒型貯水タンク１の構成の概略について説明する。この円筒型貯水タンク１は、正面視矩形状で平面視円弧状の複数の側板エレメント７と、平面視円形状の天板エレメント８と、平面視円形状の底板エレメント９とを主要部として備えている。円筒型貯水タンク１は、上下方向に嵌合させる枚数を増減することでの高さの調節が可能であるが、この実施例では、側板エレメント７を上下に５枚並べており、左右方向には４枚連結させている。
【００３０】
側板エレメント７は、繊維強化プラスチック等の合成樹脂からなり、図２に示すように、上縁内側に溝部１９と下縁内側に突部２０とがそれぞれ縁端に沿って設けられ、外側には他の側板エレメント７と連結するための連結フランジ２が上下左右の縁部に設けられている。また、複数の側板エレメント７のうち一枚は、貯留した雨水を排水するための配管であるパイプ５を接続する挿入口６を備えている。
【００３１】
天板エレメント８は、繊維強化プラスチック等の合成樹脂からなり、側板エレメント７の上縁内側に設けられた溝部１９と嵌合する突部２２が周縁内側に設けられており、濾過装置１３を中央に備えている。濾過装置１３は、雨水を円筒型貯水タンク１に導くための配管である雨水導入パイプ１０を接続するための挿入口１１を上部に有し、ゴミ採り用フィルター１２を下部に備えている。
【００３２】
底板エレメント９は、繊維強化プラスチック等の合成樹脂からなり、側板エレメント７の下縁内側に設けられた突部２０と嵌合する溝部２１が周縁内側に設けられている。また、底板エレメント９は、円筒型貯水タンク１に貯留された雨水の水圧に耐えられるように、側板エレメント７及び天板エレメント８よりも分厚く形成されている。
【００３３】
次に、円筒型貯水タンク１の組み立て・設置方法について説明する。
【００３４】
複数の側板エレメント７を上下方向に構設する際には、図３に示すように側板エレメント７の溝部１９と他の側板エレメント７の突部２０とを嵌合させ、左右に連結する際には図４に示すように、側面エレメント外側に設けられた連結フランジ２を連結ボルト４によって螺合する。
【００３５】
天板エレメント８及び底板エレメント９を側板エレメント７に構設する際には、天板エレメント８の突部２２及び側板エレメントの溝部１９、底板エレメントの溝部２１及び側板エレメントの突部２０をそれぞれ嵌合させ、天板エレメント８及び底板エレメント９によって密閉することで円筒型貯水タンク１を形成し、円筒型貯水タンク１の一部を地下に埋設することによって設置場所に固定する。
【００３６】
続いて、図５を参照して、前述の円筒型貯水タンク１の使用方法について説明する。
【００３７】
家屋の屋根１８に降った雨水は、雨水導入パイプ１０及びゴミ採り用フィルター１２を介して円筒型貯水タンク１内に貯留される。円筒型貯水タンク１内に貯留された雨水は、汲み上げポンプ１６を経由してトイレ排水や園芸用の散水に活用される。
【００３８】
円筒型貯水タンク１内に貯留された雨水が貯留雨水水位２３を上回った場合、オーバーフローパイプ１４を経由して排水口１７より自然排出される。
【００３９】
以上のことから、円筒型貯水タンク１によれば、筐体を構成する複数の側板エレメント７と、天板エレメント８と、底板エレメント９とを部品として設け、設置場所において各パーツを上下左右方向に連結及び嵌合して構設することによって、運搬及び設置工程を簡素化することができる。
【００４０】
また、円筒型貯水タンク１によれば、側板エレメント７を上下左右方向に複数連結及び嵌合して形成された円筒体を、天板エレメント８及び底板エレメント９によって密閉し、地下に一部を埋設することにより固定するため、予め敷設した基礎コンクリート１０５上に外壁エレメント１０４を配設し充填コンクリート１０７によって密閉及び固定をする工程が不要となるため、設置作業の効率化・低コスト化を実現できる。
【００４１】
さらに、円筒型貯水タンク１によれば、構設する側板エレメント７の枚数を増減することで貯留できる雨水の内容量と貯水タンクの高さとを容易に調節することができる。
【００４２】
なお、本考案は前述した実施の形態のみに限定されるものではなく、本考案の要旨を逸脱しない範囲において種々の変更が可能であることは勿論である。例えば、図６に示すように、円筒型貯水タンク１を横に寝かせて設置したり、地下に埋設してもよい。
【００４３】
また、この実施例では、貯留対象を主に雨水としているがこれに限定されない。例えば、家庭用の雑水タンク，園芸用の散水タンク，家畜の糞尿処理タンク，農薬の貯蔵タンク，湧き水の貯蔵タンク，製造工場の油脂貯留タンク，洗浄液貯留タンク，清掃散水貯留タンクの用途がある。
【符号の説明】
【００４４】
１      円筒型貯水タンク
２      連結フランジ
３      連結孔
４      連結ボルト
５      給水パイプ
６      給水パイプ挿入口
７      側板エレメント
８      天板エレメント
９      底板エレメント
１０    雨水導入パイプ
１１    雨水導入パイプ挿入口
１２    ゴミ採り用フィルター
１３    濾過装置
１４    オーバーフロー用パイプ
１５    オーバーフロー用パイプ挿入口
１６    汲み上げポンプ
１７    排水口
１８    屋根
１９    溝部
２０    突部
２１    底板溝部
２２    天板突部
２３    貯留雨水水位
２４    上蓋
１０１  円筒型貯水タンク
１０２  連結孔
１０３  連結フランジ
１０４  外壁エレメント
１０５  基礎コンクリート
１０６  アンカー
１０７  充填コンクリート
【図１】
0003175652.tif 000003
【図２】
0003175652.tif 000004
【図３】
0003175652.tif 000005
【図４】
0003175652.tif 000006
【図５】
0003175652.tif 000007
【図６】
0003175652.tif 000008
【図７】
0003175652.tif 000009